【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  画像の符号化データを作成する符号化装置において、
所定の同一のサイズの画像ユニットに分割され、前記画像ユニット毎に画像情報と位置情報を有する画像データを格納するデータベースと、
上記画像データの中から符号化対象の画像を指示する画像指示手段と、
上記画像指示手段からの指示に基づき、上記データベースの中から前記符号化対象の画像に対応する画像データを上記画像ユニット毎に取り出し、取り出した上記画像データの各画像ユニットの位置情報を変換することにより、上記画像指示手段の指示した画像の符号化データを作成する変換部と、を備え、
上記変換部が作成した符号化データを出力する、
ことを特徴とする符号化装置。
【請求項２】  請求項１に記載の符号化装置において、
上記変換部は、作成した符号化データを出力した後、前記出力した符号化データに関する各画像ユニットの位置情報を一時的に保持し、
上記画像指示手段の指示する画像と、上記一時的に保持している各画像ユニットとの間で、重複する画像ユニットと重複しない画像ユニットとを特定し、
上記重複する画像ユニットは、上記一時的に保持している位置情報から上記画像指示手段の指示する画像における位置に移動させるための移動情報を作成し、
上記重複しない画像ユニットは、上記データベースより前記画像ユニットの画像データを取得し、取得した上記画像データの各画像ユニットの位置情報を、上記画像指示手段の指示する画像における位置へ変換することにより、上記画像指示手段の指示する画像の符号化データを作成する、
ものであることを特徴とする符号化装置。
【請求項３】  画像の符号化データを作成する符号化方法において、
所定の同一のサイズの画像ユニットに分割され、前記画像ユニット毎に画像情報と位置情報を有する画像データを格納するデータベースの中から、符号化対象の画像を指示する第１のステップと、
上記第１のステップからの指示に基づき、上記データベースの中から前記符号化対象の画像に対応する画像データをデータを上記画像ユニット毎に取り出す第２のステップと、
上記第２のステップで取り出された上記画像データの各画像ユニットの位置情報を変換することにより、上記符号化対象の画像の符号化データを作成する第３のステップと、
を有することを特徴とする符号化方法。
【手続補正２】
【補正対象書類名】明細書
【補正対象項目名】００１１
【補正方法】変更
【補正の内容】
【００１１】
【課題を解決するための手段】
上記課題を達成するために、本発明に係る符号化装置は、表示のための画像メモリサイズが、所定の同一サイズの表示画像ユニットの倍数である復号化装置に対して符号化データを作成する符号化装置において、画像情報と位置情報とを有し、上記表示画像ユニットと同一サイズの画像ユニットに分割された平面画像データを格納するデータベースと、上記平面画像データの中から表示する画像を指示する表示画像指示手段と、上記表示画像指示手段からの指示に基づき、上記データベースの中から所要の上記平面画像データを上記画像ユニット毎に取り出し、取り出した上記平面画像データの各画像ユニットの位置情報を変換することにより上記表示画像指示手段の指示した画像の符号化データを作成する変換部と、を備え、上記変換部からの符号化データに基づいて、上記復号化装置に表示画像を復号させる、ことを特徴とするものである。
【手続補正３】
【補正対象書類名】明細書
【補正対象項目名】００１２
【補正方法】変更
【補正の内容】
【００１２】
また本発明に係る符号化装置は、上記符号化装置において、上記復号化装置は、復号した表示画像を表示画像毎に一時的に保持し、該復号化装置の保持する表示画像に、移動距離に基づく移動情報が上記画像ユニット毎に与えられると、該復号化装置は、上記表示画像のうち、移動情報が与えられた上記画像ユニットの部分の画像を復号することができるものであり、上記復号化装置の保持する表示画像に、上記表示画像指示手段の指示する画像が、一部重複する部分画像を含む場合、上記変換部は、上記表示画像指示手段の指示する画像と、上記復号化装置の保持する表示画像との間で、重複する画像ユニットと重複しない画像ユニットとを特定し、上記重複する画像ユニットは、上記復号化装置の保持する表示画像における表示位置から上記表示画像指示手段の指示する画像における表示位置に移動させるための移動情報を作成し、上記重複しない画像ユニットは、上記データベースより所要の画像ユニットの平面画像データを取得し、この取得した平面画像データの各画像ユニットの位置情報を、上記表示画像指示手段の指示する画像における表示位置へ変換することにより、上記表示画像指示手段の指示する画像の符号化データを作成する、ものであることを特徴とするものである。
【手続補正４】
【補正対象書類名】明細書
【補正対象項目名】００１３
【補正方法】変更
【補正の内容】
【００１３】
また本発明に係る符号化装置は、上記復号化装置の保持する表示画像と、上記表示画像指示手段の指示する画像とが、重複する上記部分画像に、上記画像ユニットよりもサイズの小さい重複部分が含まれる場合、上記変換部は、上記重複する部分画像のうち、上記画像ユニットよりもサイズの小さい上記重複部分では、上記画像ユニット内で重複する部分と重複しない部分とに識別することにより、上記重複する部分画像を特定し、特定した上記部分画像を、上記画像ユニットの整数倍として、上記移動情報を作成するものである、ことを特徴とするものである。
【手続補正５】
【補正対象書類名】明細書
【補正対象項目名】００１４
【補正方法】変更
【補正の内容】
【００１４】
また本発明に係る符号化装置は、上記復号化装置の保持する表示画像の中に、上記表示画像指示手段の指示する画像が全て含まれている場合、上記変換部は、上記復号化装置に保持されている表示画像の中で、上記表示画像指示手段の指示する画像と重複する部分画像を特定し、特定した部分画像毎に上記移動情報を作成するだけで、上記表示画像指示手段の指示する画像の符号化データを作成する、ものであることを特徴とするものである。
【手続補正６】
【補正対象書類名】明細書
【補正対象項目名】００１５
【補正方法】変更
【補正の内容】
【００１５】
また本発明に係る符号化装置は、上記データベースに格納されている平面画像データは、空間的相関関係により圧縮されたものであることを特徴とするものである。
【手続補正７】
【補正対象書類名】明細書
【補正対象項目名】００１６
【補正方法】変更
【補正の内容】
【００１６】
また本発明に係る符号化装置は、９０度単位で、表示画像を所要の方向へ回転させる指示を出す方向指示手段を備え、上記変換部は、上記方向指示手段からの指示に基づき、符号化データに方向情報を付与するものであることを特徴とするものである。
【手続補正８】
【補正対象書類名】明細書
【補正対象項目名】００１７
【補正方法】変更
【補正の内容】
【００１７】
また本発明に係る符号化方法は、表示のための画像メモリサイズが、所定の同一サイズの表示画像ユニットの倍数である復号化装置に対して、符号化データを作成する符号化方法において、画像情報と位置情報とを有し、上記表示画像ユニットと同一サイズの画像ユニットに分割された平面画像データの中から表示する画像を指示する第１のステップと、上記第１のステップからの指示に基づき、上記平面画像データの中から所要のデータを上記画像ユニット毎に取り出す第２のステップと、上記第２のステップで取り出された上記平面画像データの位置情報を、上記画像ユニット毎に変換することにより符号化データを作成する第３のステップと、を有することを特徴とするものである。
【手続補正９】
【補正対象書類名】明細書
【補正対象項目名】００４６
【補正方法】変更
【補正の内容】
【００４６】
【発明の効果】
本発明に係る符号化装置によれば、表示のための画像メモリサイズが、所定の同一サイズの表示画像ユニットの倍数である復号化装置に対して符号化データを作成する符号化装置において、画像情報と位置情報とを有し、上記表示画像ユニットと同一サイズの画像ユニットに分割された平面画像データを格納するデータベースと、上記平面画像データの中から表示する画像を指示する表示画像指示手段と、上記表示画像指示手段からの指示に基づき、上記データベースの中から所要の上記平面画像データを上記画像ユニット毎に取り出し、取り出した上記平面画像データの各画像ユニットの位置情報を変換することにより上記表示画像指示手段の指示した画像の符号化データを作成する変換部と、を備え、上記変換部からの符号化データに基づいて、上記復号化装置に表示画像を復号させる、ことを特徴とするものとしたので、画面を見る人の視点の進行方向に合わせて画面表示を次々と表示させることができるという効果を有する。
【手続補正１０】
【補正対象書類名】明細書
【補正対象項目名】００４７
【補正方法】変更
【補正の内容】
【００４７】
また本発明に係る符号化装置は、上記符号化装置において、上記復号化装置は、復号した表示画像を表示画像毎に一時的に保持し、該復号化装置の保持する表示画像に、移動距離に基づく移動情報が上記画像ユニット毎に与えられると、該復号化装置は、上記表示画像のうち、移動情報が与えられた上記画像ユニットの部分の画像を復号することができるものであり、上記復号化装置の保持する表示画像に、上記表示画像指示手段の指示する画像が、一部重複する部分画像を含む場合、上記変換部は、上記表示画像指示手段の指示する画像と、上記復号化装置の保持する表示画像との間で、重複する画像ユニットと重複しない画像ユニットとを特定し、上記重複する画像ユニットは、上記復号化装置の保持する表示画像における表示位置から上記表示画像指示手段の指示する画像における表示位置に移動させるための移動情報を作成し、上記重複しない画像ユニットは、上記データベースより所要の画像ユニットの平面画像データを取得し、この取得した平面画像データの各画像ユニットの位置情報を、上記表示画像指示手段の指示する画像における表示位置へ変換することにより、上記表示画像指示手段の指示する画像の符号化データを作成する、ものであることを特徴とするものとしたので、表示のために必要な最小限のデータのみを復号化装置に送るだけで、画面表示を画面を見る人の視点の進行方向に合わせて次々と表示させることができるという効果を有する。
【手続補正１１】
【補正対象書類名】明細書
【補正対象項目名】００４８
【補正方法】変更
【補正の内容】
【００４８】
また本発明に係る符号化装置は、上記復号化装置の保持する表示画像と、上記表示画像指示手段の指示する画像とが、重複する上記部分画像に、上記画像ユニットよりもサイズの小さい重複部分が含まれる場合、上記変換部は、上記重複する部分画像のうち、上記画像ユニットよりもサイズの小さい上記重複部分では、上記画像ユニット内で重複する部分と重複しない部分とに識別することにより、上記重複する部分画像を特定し、特定した上記部分画像を、上記画像ユニットの整数倍として、上記移動情報を作成するものである、ことを特徴とするものとしたので、表示のために必要な最小限のデータのみを復号化装置に送るだけで、画面表示を画面を見る人の視点の進行方向に合わせて次々と表示させることができるという効果を有する。
【手続補正１２】
【補正対象書類名】明細書
【補正対象項目名】００４９
【補正方法】変更
【補正の内容】
【００４９】
また本発明に係る符号化装置は、上記復号化装置の保持する表示画像の中に、上記表示画像指示手段の指示する画像が全て含まれている場合、上記変換部は、上記復号化装置に保持されている表示画像の中で、上記表示画像指示手段の指示する画像と重複する部分画像を特定し、特定した部分画像毎に上記移動情報を作成するだけで、上記表示画像指示手段の指示する画像の符号化データを作成する、ものであることを特徴とするものとしたので、ユニット単位を更に分割することなく移動情報のみで符号化データを作成することができ、１画素単位のスムーズなスクロールを表示部に表示させることができるという効果を有する。
【手続補正１３】
【補正対象書類名】明細書
【補正対象項目名】００５０
【補正方法】変更
【補正の内容】
【００５０】
また本発明に係る符号化装置は、上記データベースに格納されている平面画像データは、空間的相関関係により圧縮されたものであることを特徴とするものとしたので、上記変換部が、各ユニットの位置情報を、表示位置情報に変換するだけで復号化装置が復号することができる符号化データを作成することができるという効果を有する。
【手続補正１４】
【補正対象書類名】明細書
【補正対象項目名】００５１
【補正方法】変更
【補正の内容】
【００５１】
また本発明に係る符号化装置は、９０度単位で、表示画像を所要の方向へ回転させる指示を出す方向指示手段を備え、上記変換部は、上記方向指示手段からの指示に基づき、符号化データに方向情報を付与するものであることを特徴とするものとしたので、画面を見る人の視点の進行方向に合わせて表示画面を９０度単位で回転させることができるという効果を有する。
【手続補正１５】
【補正対象書類名】明細書
【補正対象項目名】００５２
【補正方法】変更
【補正の内容】
【００５２】
また本発明に係る符号化方法は、表示のための画像メモリサイズが、所定の同一サイズの表示画像ユニットの倍数である復号化装置に対して、符号化データを作成する符号化方法において、画像情報と位置情報とを有し、上記表示画像ユニットと同一サイズの画像ユニットに分割された平面画像データの中から表示する画像を指示する第１のステップと、上記第１のステップからの指示に基づき、上記平面画像データの中から所要のデータを上記画像ユニット毎に取り出す第２のステップと、上記第２のステップで取り出された上記平面画像データの位置情報を、上記画像ユニット毎に変換することにより符号化データを作成する第３のステップと、を有することを特徴とするものとしたので、画面を見る人の視点の進行方向に合わせて表示画面を次々と表示させることができるという効果を有する。